(57)【特許請求の範囲】
【請求項１】
シャッタ基盤の上をシャッタ駆動レバーがチャージ位置から初期位置に向かって摺動走行することによりシャッタ羽根を開閉駆動するシャッタ装置のシャッタチャージ機構であって、１コマあたり１個又は２個のチャージ用のパーフォレーションが設けられたフイルムを巻上げダイヤルの回転操作により１コマ送りする間にシャッタ駆動レバーを初期位置からチャージ位置に移動させるシャッタチャージ機構において、
前記シャッタ基盤とシャッタ駆動レバーとの間には、シャッタ駆動レバーを初期位置に向かって付勢するバネ部材が設けられ、前記シャッタ基盤には、シャッタ駆動レバーの下面に形成された第１突起を受け入れてシャッタ駆動レバーをフイルム給送方向とほぼ平行方向に案内する長溝と、シャッタ駆動レバーの下面に形成された第２突起を受け入れてチャージ位置でシャッタ駆動レバーをロックするカム付き溝と、シャッタ駆動レバーの下面に形成された第３突起を受け入れ、シャッタ駆動レバーがチャージ位置に到達するまでは第２突起をカム付き溝のカム面に押しつけ、かつシャッタ駆動レバーが後戻りしないように規制するとともにシャッタ駆動レバーがチャージ位置に到達した後は第２突起への規制を解除する弾性を有する規制接片付き溝とが形成されており、前記シャッタ駆動レバーには、前記第１突起，第２突起，第３突起の他に、前記パーフォレーションに係合されるフイルム係合爪部と、チャージ位置で巻上げダイヤルと係合して巻上げダイヤルの巻上げ操作を阻止する巻止め爪部と、シャッタボタンのレリーズ操作の力を受ける受け部と、この受け部がシャッタボタンのレリーズ操作の力を受け、シャッタ駆動レバーが第１突起を中心に回動されて第２突起がカム付き溝のカムから外れてシャッタ駆動レバーのロックが解除された後、前記バネ部材の付勢力によりシャッタ駆動レバーがシャッタ基盤の上を初期位置に向かって摺動走行する間にシャッタ羽根の一端部を蹴飛ばしてシャッタ羽根を回動駆動させる蹴飛ばし部とが一体成形されていることを特徴とするシャッタチャージ機構。
【発明の詳細な説明】
【０００１】
【産業上の利用分野】
本発明は、１コマにつき１個又は２個のチャージ用パーフォレーションを設けた写真フイルムを対象とし、その１コマ送りの間にシャッタチャージを行うための機構に関するものである。
【０００２】
【従来の技術】
撮影画面範囲外に効率的に磁気記録を行うことができるように、例えば特開平３−１７９４４２号公報等により１コマあたり１個又は２個のパーフォレーションを設けた写真フイルムが知られている。このようなフイルムを使用するカメラでは、パーフォレーションの通過をフォトセンサで監視しながらモータでフイルム１コマ送りを行い、さらにモータの駆動でシャッタチャージを行うようにするのが簡便である。しかし、廉価型のカメラや、「写ルンですＨｉ」（商品名）で知られるように、予めフイルムを収納して販売されているレンズ付きフイルムユニットなどでは、ローコスト化のためにフォトセンサやモータの組み込みができないため、パーフォレーションの移動を機械的に検知して１コマ送りやシャッタチャージを行う必要がある。
【０００３】
１コマ１パーフォレーションのフイルムを用いるカメラとして、いわゆる１１０フイルムカートリッジを使用するカメラが公知である。また実開昭６３−５１３２９号公報には、１１０フイルムカートリッジを組み込んだレンズ付きフイルムユニットが記載されている。これらに用いられているシャッタチャージ機構は、フイルムに向かってほぼ垂直方向にバネ付勢された係止爪を備えている。巻上げ操作によってフイルムが送られ、パーフォレーションが移動してくると係止爪が突出してパーフォレーションに入り込む。そして、引続きフイルムを送ることにより係止爪はフイルム移送路に沿ってほぼ直線的に移動され、この間にシャッタチャージが行われる。係止爪が所定の位置に到達すると規制ピンに当接して停止される。このとき、係止爪はパーフォレーションに係合したままであるから、フイルムの巻上げが阻止されるとともに、フイルムの移動は防止される。シャッタボタンを押圧すると、係止爪はパーフォレーションからほぼ垂直方向に引き抜かれ、次の瞬間にシャッタ羽根が駆動されてフイルムを露光する。シャッタボタンの押圧を止めると、係止爪はバネで復帰して次のフイルム巻上げの準備のためにフイルム面に圧接される。
【０００４】
【発明が解決しようとする課題】
ところが、上記シャッタチャージ機構の場合、上述したように、係止爪の動きが、フイルム面に圧接される時にはフイルム通路に向かってほぼ垂直方向に、シャッタがチャージされる時にはフイルム通路に沿ってほぼ直線的に、シャッタレリーズによりパーフォレーションから引き抜かれる時にはフイルム通路からほぼ垂直方向に、というように、全てほぼ直線的である。特に、シャッタチャージ時にパーフォレーションに係合したままフイルム通路に沿って係止爪が直線的に移動することから、上述した「写ルンですＨｉ」のようなレンズ付きフイルムユニットのように、露光位置でフイルム面が湾曲しているものに適用することが困難である。さらに、スライドする部材を多用しているため、部品点数が多く、係止爪の移動機構が複雑で、自動組み立てもしにくくなってコストアップを避けることができないという問題点がある。
【０００５】
本発明は、以上のような課題を解決するためになされたもので、簡単な構造でローコストでありながら、１コマにつき１個又は２個のチャージ用パーフォレーションを設けた写真フイルムを１コマ送る間に確実にシャッタチャージすることができるシャッタチャージ機構を提供することを目的とする。
【０００６】
【課題を解決するための手段】
上記目的を達成するために、本発明のシャッタチャージ機構は、シャッタ基盤の上をシャッタ駆動レバーがチャージ位置から初期位置に向かって摺動走行することによりシャッタ羽根を開閉駆動するシャッタ装置のシャッタチャージ機構であって、１コマあたり１個又は２個のチャージ用のパーフォレーションが設けられたフイルムを巻上げダイヤルの回転操作により１コマ送りする間にシャッタ駆動レバーを初期位置からチャージ位置に移動させるシャッタチャージ機構において、シャッタ基盤とシャッタ駆動レバーとの間には、シャッタ駆動レバーを初期位置に向かって付勢するバネ部材が設けられ、シャッタ基盤には、シャッタ駆動レバーの下面に形成された第１突起を受け入れてシャッタ駆動レバーをフイルム給送方向とほぼ平行方向に案内する長溝と、シャッタ駆動レバーの下面に形成された第２突起を受け入れてチャージ位置でシャッタ駆動レバーをロックするカム付き溝と、シャッタ駆動レバーの下面に形成された第３突起を受け入れ、シャッタ駆動レバーがチャージ位置に到達するまでは第２突起をカム付き溝のカム面に押しつけ、かつシャッタ駆動レバーが後戻りしないように規制するとともにシャッタ駆動レバーがチャージ位置に到達した後は第２突起への規制を解除する弾性を有する規制接片付き溝とが形成されており、シャッタ駆動レバーには、第１突起，第２突起，第３突起の他に、パーフォレーションに係合されるフイルム係合爪部と、チャージ位置で巻上げダイヤルと係合して巻上げダイヤルの巻上げ操作を阻止する巻止め爪部と、シャッタボタンのレリーズ操作の力を受ける受け部と、この受け部がシャッタボタンのレリーズ操作の力を受け、シャッタ駆動レバーが第１突起を中心に回動されて第２突起がカム付き溝のカムから外れてシャッタ駆動レバーのロックが解除された後、バネ部材の付勢力によりシャッタ駆動レバーがシャッタ基盤の上を初期位置に向かって摺動走行する間にシャッタ羽根の一端部を蹴飛ばしてシャッタ羽根を回動駆動させる蹴飛ばし部とが一体成形されているものである。
【０００８】
【作用】
巻上げダイヤルを回転操作してフイルム送りを行うと、チャージ用のパーフォレーションが移動してくるまでの間は、フイルム係合爪部はフイルム面上をスリップする。そして、パーフォレーションにフイルム係合爪部が係合した後は、シャッタ駆動レバーはフイルム送りに従動して初期位置からチャージ位置に向かって移動される。この間、シャッタ駆動レバーはバネ部材によりチャージ位置と逆方向に付勢されているが、規制接片付き溝によりシャッタ駆動レバーの後戻りが防止される。シャッタ駆動レバーはチャージ位置に到達すると、カム付き溝によりロックされる。シャッタボタンがレリーズ操作されると、この力を受け部が受けてシャッタ駆動レバーが回動され、フイルム係合爪部がパーフォレーションから抜き去られると同時にカム付き溝によるロックが解除される。シャッタ駆動レバーはバネ部材によりフイルム送り方向と逆方向に初期位置に向かって走行され、シャッタ駆動レバーのシャッタ蹴飛ばし部がシャッタ羽根の一端部を蹴飛ばしてシャッタ羽根を回動駆動させた後、初期位置に復帰する。
【０００９】
【実施例】
以下、本発明のシャッタチャージ機構をレンズ付きフイルムユニットに適用した実施例をもとに説明する。レンズ付きフイルムユニットのユニット本体を分解して示した図２において、ユニット本体１０は、本体部１１と前カバー１２と後カバー１３とからなる。本体部１１には、その中央部に暗箱部１１ａ，これを挟んで左右にパトローネ室１１ｂ，フイルムロール室１１ｃがそれぞれ形成され、パトローネ室１１ｂにはパトローネ１６，フイルムロール室１１ｃにはパトローネ１６からフイルム１７を引き出してロール状にしたフイルムロール１８が収納される。
【００１０】
フイルム１７には、その一方の側縁に沿って１コマあたり２個のチャージ用のパーフォレーション１７ａ，１７ｂが形成されている。このパーフォレーション１７ａ，１７ｂは、互いにサイズが異なっており、パーフォレーション１７ａの方がパーフォレーション１７ｂより小さくなっている。なお、ユニット本体１０の外装体として、撮影操作に必要な所要部分に開口を設けた紙箱が用いられるが、その図示は省略した。
【００１１】
パトローネ室１１ｂの上部には、巻上げダイヤル２０が取り付けられる。巻上げダイヤル２０の外周面にはローレット２０ａが刻まれ、また底面にはフォーク２０ｂ（図１参照）が一体に設けられている。このフォーク２０ｂは、パトローネ室１１ｂの上壁を貫通し、パトローネ１６のスプール１６ａに係合される。そして、１コマ撮影する毎に巻上げダイヤル２０を反時計方向（矢印方向）に回動すると、撮影済みのフイルムがパトローネ１６内に巻き込まれる。
【００１２】
暗箱部１１ａの上部には、後述する本発明のシャッタチャージ機構２１が取り付けられ、前部には、シャッタ羽根２２，復帰バネ２３が取り付けられ、その前面を覆うようにシャッタカバー２６が取り付けられる。シャッタカバー２６にはレンズマウント部が形成され、そこに撮影レンズ２７が嵌め込まれる。また、シャッタチャージ機構２１の上には、これを光密に被う遮光カバー２５が取り付けられる。
【００１３】
各部品が取り付けられた本体部１１の前面には、前カバー１２がフック止めされる。前カバー１２の前部には撮影窓１２ａ，ファインダ対物窓１２ｂが形成され、また上部にはシャッタボタン２８が一体に形成されている。シャッタボタン２８を押し込むと、その下部に一体に設けたレリーズアーム２８ａがシャッタチャージ機構２１の所要部に作用し、シャッタ駆動レバー３０の蹴飛ばし部３１によってシャッタ羽根２２の端部２２ａが蹴飛ばされてシャッタ羽根２２が開き、そして復帰バネ２３の付勢により閉じ位置に戻って１回の露光が行われる。
【００１４】
後カバー１３は本体部１１の背面にフック止めされ、本体部１１の内部を光密に覆う。後カバー１３の内面には湾曲したフイルム支持面１３ａが形成され、暗箱部１１ａの背面部に形成されたアパーチャ３３（図１参照）でフイルム１７を湾曲させた状態で支持する。これにより、撮影レンズ２７として単レンズを用いても、像面湾曲の影響を抑え鮮明な結像を得ることができる。
【００１５】
シャッタチャージ機構２１の露光終了直後で、シャッタチャージを開始する前の初期状態を示す図１において、本体部１１の上部はシャッタチャージ機構２１のシャッタ基盤３４になっており、前記シャッタ駆動レバー３０は、この中央部に形成された溝３４ａ内をほぼフイルム移送方向に摺動される。このシャッタ駆動レバー３０には、前記蹴飛ばし部３１の他に、フイルム１７のパーフォレーション１７ａ，１７ｂにそれぞれ係合される太さの異なる２本の爪部４１，４２と、支柱部４３を介して巻上げダイヤル２０と同じ高さに設けられ、巻上げダイヤル２０のローレット２０ａに係合する巻止め爪部４５と、前記レリーズアーム２８ａによって押圧される受け部４６と、シャッタ基盤３４側の面に第１突起４７，第２突起４８，第３突起４９とが一体成形されている。そして、シャッタ駆動レバー３０とシャッタ基盤３４との間には、突起３１ａ，３４ｂを介してコイルバネ５０が掛け渡され、シャッタ駆動レバー３０は第１突起４７を中心に時計方向に付勢されている。
【００１６】
爪部４１，４２の各先端部の外縁は、互いに内側に向かってテーパ状に形成されており、爪部４１，４２の太さがパーフォレーション１７ａ，１７ｂのサイズにそれぞれ対応していることと相俟って、パーフォレーション１７ａが爪部４２に係合することなく爪部４１に係合し、かつパーフォレーション１７ｂが爪部４２に確実に係合されるようになっている。
【００１７】
図３において、シャッタ基盤３４の溝３４ａ内には、シャッタ駆動レバー３０の第１突起４７を受け入れてシャッタ駆動レバー３０をフイルム移送方向とほぼ平行に案内する長溝５５と、内側に三角形状のカム５６を有し、シャッタ駆動レバー３０の第２突起４８を受け入れるカム付き溝５７と、内側に規制接片５９を有し、シャッタ駆動レバー３０の第３突起４９を受け入れる規制接片付き溝６０とが形成されている。なお、溝３４ａを構成している壁の一部には、シャッタ駆動レバー３０の初期位置を規制する凸条部３４ｃが形成されている。
【００１８】
前記規制接片５９は、同図（Ａ），（Ｂ）に示すように、鋸状面６２を形成した弾性を有する板バネ部５９ａと、これを支持する支持部５９ｂとからなる。この鋸状面６２の歯を構成するフイルムロール室１１ｃ側の面６２ａは、パトローネ室１１ｂ側の面６２ｂより広く、かつ規制接片付き溝６０の壁面に対する角度が緩やかになっている。すなわち、鋸状面６２は第３突起４９との間に一方向クラッチを構成し、シャッタ駆動レバー３０が初期位置からチャージ位置まで移動される間、第３突起４９が鋸状面６２に摺接されることにより、シャッタ駆動レバー３０の後戻りが防止される。
【００１９】
板バネ部５９ａの鋸状面６２と反対側の面は平滑面６３となっており、この平滑面６３と規制接片付き溝６０の壁面との隙間をシャッタ駆動レバー３０がチャージ位置から初期位置に戻る際に第３突起４９が通る。なお、シャッタ駆動レバー３０がチャージ位置から初期位置に戻る際には、シャッタ駆動レバー３０は高速度で走行する必要があるため、第３突起４９が平滑面６３と規制接片付き溝６０の壁面から抵抗を受けないように、平滑面６３と壁面との隙間は鋸状面６２と壁面との隙間より広くなっている。また、支持部５９ｂの上端部の高さは板バネ部５９ａより低くなっており、シャッタ駆動レバー３０がチャージ位置から初期位置に戻る際に、支持部５９ｂの上を第３突起４９が通過するようになっている。また、図示してないが、シャッタ駆動レバー３０のチャージ動作に連動して歩進され、撮影可能枚数を表示するフイルムカウンタがシャッタ駆動レバー３０の上方に設けられている。
【００２０】
このように構成されたシャッタチャージ機構２１の作用を説明する。図１に示した初期状態では、コイルバネ５０の付勢力により、長溝５５のフイルムロール室１１ｃ側の端に第１突起４７が当接され、かつシャッタ駆動レバー３０が凸条部３４ｃに当接された状態になっている。巻上げダイヤル２０を操作してスプール１６ａを反時計方向に回転させ、フイルム１７をパトローネ１６内に巻き込んでゆくと、フイルム１７は巻上げダイヤル２０側に向かって移送される。このとき、爪部４１，４２はフイルム面に摺接している。
【００２１】
巻上げダイヤル２０の操作を継続して移送されてきたフイルム１７のパーフォレーション１７ａ，１７ｂが爪部４１，４２の位置に到達すると、図４（Ａ）に示すように、爪部４１，４２はパーフォレーション１７ａ，１７ｂに係合される。このとき、まずパーフォレーション１７ａが爪部４２に達するが、爪部４２の先端部がフイルム移送方向に沿ってテーパ状に形成されているとともにパーフォレーション１７ａのサイズより爪部４２が太いので、パーフォレーション１７ａは爪部４２と係合することなく通過される。そして、パーフォレーション１７ａが爪部４１に到達すると、爪部４１の先端部がフイルム移送方向と逆らうようにテーパ状に形成されているとともにパーフォレーション１７ａのサイズが爪部４１の太さに対応しているから、パーフォレーション１７ａは爪部４１に係合する。また、これと同時に、パーフォレーション１７ｂが爪部４２の位置に到達して爪部４２と係合する。
【００２２】
この後、フイルム１７の移送に伴ってシャッタ駆動レバー３０が巻上げダイヤル２０側に移動される。シャッタ駆動レバー３０が凸条部３４ｃを離れると、シャッタ駆動レバー３０はコイルバネ５０により第１突起４７を中心に時計方向へ回動されるが、第２突起４８がカム５６の面に当接するから、シャッタ駆動レバー３０はカム５６の面形状に沿って巻上げダイヤル２０側に移動されるようになる。また、第３突起４９が支持部５９ｂの位置から移動され、板バネ部５９ａの鋸状面６２に摺接されるようになるから、巻上げ操作の途中で巻上げダイヤル２０から指を離しても、シャッタ駆動レバー３０が初期位置に戻ることがない。
【００２３】
フイルム１７の移送が進み、（Ｂ）に示すように、第２突起４８がカム５６の三角形状のテーパ面５６ａに当接されるようになると、シャッタ駆動レバー３０は第１突起４７を中心に反時計方向に回動される。このとき、板バネ部５９ａが撓んで第３突起４９の回動を許容するとともに、板バネ部５９ａの弾性により鋸状面６２と第３突起４９との接触力が強くなるから、シャッタ駆動レバー３０がコイルバネ５０によって初期位置に引き戻されることはない。また、テーパ面５６ａはフイルム支持面１３ａの湾曲面にほぼ対応しているから、爪部４１，４２がパーフォレーション１７ａ，１７ｂから外れるおそれはない。
【００２４】
更にフイルム１７の移送が進んで、（Ｃ）に示すように、シャッタ駆動レバー３０がチャージ位置に到達すると、第２突起４８がテーパ面５６ａの頂点から外れ、コイルバネ５０の付勢により第１突起４７を中心にシャッタ駆動レバー３０は時計方向に回動され、第２突起４８がカム５６の垂直面５６ｂに当接してシャッタ駆動レバー３０はロックされる。これと同時に、巻止め爪部４５が巻上げダイヤル２０のローレット２０ａに係合され、巻上げダイヤル２０の巻上げ操作を阻止する。そして、このチャージ状態では、蹴飛ばし部３１がシャッタ羽根２２の端部２２ａの図面上右側に位置される。また、第３突起４９は板バネ部５９ａから外れた位置にある。
【００２５】
この後、シャッタボタン２８を押圧すると、レリーズアーム２８ａが受け部４６を矢印α方向に押圧し、シャッタ駆動レバー３０を第１突起４７を中心に反時計方向に回動させる。これにより、巻止め爪部４５とローレット２０ａとの係合が解除されるとともに第２突起４８がカム５６の垂直面５６ｂから外れ、第３突起４９が板バネ部５９ａの平滑面６３と規制接片付き溝６０の壁面との隙間に移動され、更に爪部４１，４２がパーフォレーション１７ａ，１７ｂから引き抜かれるから、コイルバネ５０の付勢力によりシャッタ駆動レバー３０は初期位置に向かって高速走行を開始する。次の瞬間、蹴飛ばし部３１はシャッタ羽根２２の端部２２ａを蹴飛ばす。これによって、シャッタ羽根２２の背後に形成された露光孔が開閉され、アパーチャ３３にセットされたフイルム１７が露光される。そして、シャッタ駆動レバー３０は図１に示す初期位置に復帰される。
【００２６】
以上説明した実施例は、本発明のシャッタチャージ機構をレンズ付きフイルムユニットに適用したものであったが、順巻き方式のカメラにも適用可能である。この場合には、例えばパトローネ室の代わりに巻取り軸を備えたフイルム巻取り室を設け、フイルムロール室の代わりにパトローネ室を設ければよい。なお、チャージ用のパーフォレーションが１コマあたり２個のフイルムを用いた実施例のみを説明したが、パーフォレーションが１コマあたり１個のフイルムを用いてもよい。また、前記実施例のフイルムには、チャージ用のパーフォレーションのみを示したが、この他に、順巻き方式のカメラに使用する際に巻取り軸と係合するために必要なフイルム先端部のパーフォレーションやフイルムの終端位置をカメラに知らせる終端検知用のパーフォレーション等が形成されている。
【００２７】
【発明の効果】
以上詳細に説明したように、本発明のシャッタチャージ機構によれば、フイルム係合爪部，巻止め爪部，受け部，蹴飛ばし部からなるシャッタ駆動レバーと、シャッタ駆動レバーをチャージ位置から初期位置に向かって付勢するバネ部材と、シャッタ駆動レバーの後戻りを防止する規制接片付き溝と、シャッタ駆動レバーをチャージ位置にロックするカム付き溝とを備えたので、簡単な構造でローコストでありながら１コマあたり１個又は２個のチャージ用パーフォレーションのフイルムを１コマ送る間に確実にシャッタチャージを行うことができる。
【図面の簡単な説明】
【図１】本発明のシャッタチャージ機構のシャッタレリーズした後の初期状態を示す説明図である。
【図２】本発明のシャッタチャージ機構を適用したレンズ付きフイルムユニットのユニット本体の構成を示す分解斜視図である。
【図３】シャッタ基盤の構造を示す部分平面図（Ａ），Ｂ−Ｂ断面図（Ｂ），Ｃ−Ｃ断面図（Ｃ）である。
【図４】フイルム巻上げを開始（Ａ）してからシャッタ駆動レバーがチャージ位置に向かって移動され（Ｂ）、ロックされ（Ｃ）、レリーズされた（Ｄ）各状態を順次に示すシャッタチャージ機構の動作説明図である。
【符号の説明】
１０  ユニット本体
１１  本体部
１１ｂ  パトローネ室
１１ｃ  フイルムロール室
１６  パトローネ
１７  フイルム
１７ａ，１７ｂ  パーフォレーション
２０  巻上げダイヤル
２０ａ  ローレット
２１  シャッタチャージ機構
２２  シャッタ羽根
２８  シャッタボタン
３０  シャッタ駆動レバー
３１  蹴飛ばし部
３４  シャッタ基盤
５０  コイルバネ
４１，４２  爪部
４５  巻止め爪部
４６  受け部
４７  第１突起
４８  第２突起
４９  第３突起
５５  長溝
５６  カム
５７  カム付き溝
５９  規制接片
５９ａ  板バネ部
５９ｂ  支持部
６０  規制接片付き溝
６２  鋸状面
６３  平滑面
【図１】
0003609133.tif 000002
【図２】
0003609133.tif 000003
【図３】
0003609133.tif 000004
【図４】
0003609133.tif 000005